(57)【要約】【課題】耐風圧性能を向上できる金属屋根材を提供する。【解決手段】金属屋根材１は、金属板を素材とし箱状の本体部２０を有する表基材２と、表基材２の裏側に配置された裏基材３と、本体部２０と裏基材３との間に充填された芯材４とを備え、幅方向１Ｗが屋根の軒方向に延在するとともに、奥行方向１Ｄが屋根の軒棟方向に延在するように屋根下地の上に配置される金属屋根材であって、幅方向１Ｗに互いに離間するとともに長手方向５Ｌが奥行方向１Ｄに延在するように芯材４にそれぞれ埋め込まれた複数の長手状の板状補強部材５をさらに備え、板状補強部材５は、幅方向１Ｗ及び奥行方向１Ｄに延在する基板部５０と、基板部５０から本体部２０の高さ方向２Ｈに延出されるとともに、奥行方向１Ｄに延在された補強リブ５１とを有している。【選択図】図１
2018178393.tif 000002
【特許請求の範囲】
【請求項１】
金属板を素材とし箱状の本体部を有する表基材と、前記本体部の開口を塞ぐように前記表基材の裏側に配置された裏基材と、前記本体部と前記裏基材との間に充填された芯材とを備え、幅方向が屋根の軒方向に延在するとともに、奥行方向が屋根の軒棟方向に延在するように屋根下地の上に配置される金属屋根材であって、
前記幅方向に互いに離間するとともに長手方向が前記奥行方向に延在するように前記芯材にそれぞれ埋め込まれた複数の長手状の板状補強部材
をさらに備え、
前記板状補強部材は、
前記幅方向及び奥行方向に延在する基板部と、
前記基板部から前記本体部の高さ方向に延出されるとともに、前記奥行方向に延在された補強リブと
を有している、
金属屋根材。
【請求項２】
前記補強リブには、先端が互いに接続された一対の壁体が設けられている、
請求項１記載の金属屋根材。
【請求項３】
前記一対の壁体の基端は互いに離間されている、
請求項２記載の金属屋根材。
【請求項４】
前記基板部が前記裏基材に接し、
前記補強リブの先端が前記表基材の裏面に接している、
請求項１から請求項３までのいずれか一項に記載の金属屋根材。
【発明の詳細な説明】
【技術分野】
【０００１】
本発明は、金属製の表基材を有する金属屋根材に関する。
【背景技術】
【０００２】
本発明者らは、下記の特許文献１に示されているような金属屋根材、すなわち金属製の表基材と、表基材の裏側に配置された裏基材と、表基材と裏基材との間に充填された発泡樹脂からなる芯材とを備えた金属屋根材の実用化を試みている。
【先行技術文献】
【特許文献】
【０００３】
【特許文献１】特許第５８６４０１５号公報
【発明の概要】
【発明が解決しようとする課題】
【０００４】
上記のような金属屋根材では、例えばアルミ箔又はアルミ蒸着紙等の薄い素材を裏基材に使用しているので、裏側の強度が低く、金属屋根材全体としても耐風圧性能が不十分になることがある。
【０００５】
本発明は、上記のような課題を解決するためになされたものであり、その目的は、耐風圧性能を向上できる金属屋根材を提供することである。
【課題を解決するための手段】
【０００６】
本発明に係る金属屋根材は、金属板を素材とし箱状の本体部を有する表基材と、本体部の開口を塞ぐように表基材の裏側に配置された裏基材と、本体部と裏基材との間に充填された芯材とを備え、幅方向が屋根の軒方向に延在するとともに、奥行方向が屋根の軒棟方向に延在するように屋根下地の上に配置される金属屋根材であって、幅方向に互いに離間するとともに長手方向が奥行方向に延在するように芯材にそれぞれ埋め込まれた複数の長手状の板状補強部材をさらに備え、板状補強部材は、幅方向及び奥行方向に延在する基板部と、基板部から本体部の高さ方向に延出されるとともに、奥行方向に延在された補強リブとを有している。
【発明の効果】
【０００７】
本発明の金属屋根材によれば、金属屋根材の奥行方向に延在する補強リブを有する複数の長手状の板状補強部材が、金属屋根材の幅方向に互いに離間するとともに、長手方向が金属屋根材の奥行方向に延在するように芯材にそれぞれ埋め込まれているので、屋根下地に緊結された金属屋根材の軒側端部を持ち上げるような曲げに対する金属屋根材の剛性を増大できる。これにより、金属屋根材の耐風圧性能を向上できる。
【図面の簡単な説明】
【０００８】
【図１】本発明の実施の形態による金属屋根材を示す平面図である。
【図２】図１の金属屋根材を示す底面図である。
【図３】図１の線ＩＩＩ−ＩＩＩに沿う金属屋根材の断面図である。
【図４】図１の板状補強部材を示す斜視図である。
【図５】図１の線Ｖ−Ｖに沿う金属屋根材の断面図である。
【発明を実施するための形態】
【０００９】
以下、本発明を実施するための形態について、図面を参照して説明する。
実施の形態１．
図１は本発明の実施の形態による金属屋根材１を示す平面図であり、図２は図１の金属屋根材１を示す底面図であり、図３は図１の線ＩＩＩ−ＩＩＩに沿う金属屋根材１の断面図であり、図４は図１の板状補強部材５を示す斜視図であり、図５は図１の線Ｖ−Ｖに沿う金属屋根材１の断面図である。
【００１０】
図１〜３に示す金属屋根材１は、奥行方向１Ｄと比較して幅方向１Ｗに長い平面視略矩形状の部材であり、例えば家屋等の屋根において他の金属屋根材とともに屋根下地の上に配置されるものである。本実施の形態の金属屋根材１は、幅方向１Ｗが屋根の棟方向に延在するとともに、奥行方向１Ｄが屋根の軒棟方向に延在するように屋根下地の上に配置される。
【００１１】
図１〜図３に示すように、金属屋根材１は、表基材２、裏基材３、芯材４及び複数の板状補強部材５を有している。
【００１２】
＜表基材について＞
表基材２は、金属板を素材とする金属製の部材であり、金属屋根材１が屋根下地の上に配置された際に屋根の外面に表れる部材である。図３に特に表れているように、表基材２には、天板２０ａ及び周壁２０ｂを有する箱状の本体部２０が設けられている。
【００１３】
表基材２の素材である金属板としては、溶融Ｚｎ系めっき鋼板、溶融Ａｌめっき鋼板、溶融Ｚｎ系めっきステンレス鋼板、溶融Ａｌめっきステンレス鋼板、ステンレス鋼板、Ａｌ板、Ｔｉ板、塗装溶融Ｚｎ系めっき鋼板、塗装溶融Ａｌめっき鋼板、塗装溶融Ｚｎ系めっきステンレス鋼板、塗装溶融Ａｌめっきステンレス鋼板、塗装ステンレス鋼板、塗装Ａｌ板又は塗装Ｔｉ板を用いることができる。箱状の本体部２０を形成するとき、鋼板を絞り加工することが好ましい。これは、鋼板を絞り加工することで周壁２０ｂに加工硬化が生じ、金属屋根材１の耐風圧性能を向上できるためである。また、周壁２０ｂを表基材２の周方向に連続する壁面とすることができるためである。
【００１４】
図１に表れているように、表基材２の天板２０ａには、幅方向１Ｗに互いに離間して配置された複数の打込位置表示部２１と、各打込表示部２１の周囲に配置された周囲リブ２２とが設けられている。
【００１５】
打込位置表示部２１は、金属屋根材１への緊結部材の打込み位置を示すものである。緊結部材は、例えばビス又は釘等により構成されるものであり、金属屋根材１を屋根下地に緊結するためのものである。本実施の形態の打込位置表示部２１は数ｍｍ以下の開口により構成されている。しかしながら、打込位置表示部２１は、例えば凸部、凹部又は刻設若しくは印刷された記号等、緊結部材の打込み位置を作業者が視覚的又は触覚的に認識できる他の態様を採ることもできる。
【００１６】
周囲リブ２２は、各打込位置表示部２１を囲うように配置された凸部によって構成されたものである。周囲リブ２２は、上記のように配置された凹部によって構成されていてもよい。各周囲リブ２２は、対応する打込位置表示部２１に緊結部材が打込まれた際の天板２０ａの変形が周囲リブ２２の外部に広がることを抑制する。
【００１７】
＜裏基材について＞
裏基材３は、本体部２０の開口を塞ぐように表基材２の裏側に配置された部材である。裏基材３としては、アルミ箔、アルミ蒸着紙、水酸化アルミ紙、炭酸カルシウム紙、樹脂フィルム又はガラス繊維紙等の軽量な素材を用いることができる。これらの軽量な素材を裏基材３に用いることで、金属屋根材１の重量が増大することを回避することができる。
【００１８】
＜芯材について＞
芯材４は、例えば発泡樹脂等により構成されるものであり、本体部２０と裏基材３との間に充填されている。芯材４の素材としては、特に制限が無く、ウレタンフォーム、フェノールフォーム、イソシアヌレートフォーム等を用いることができる。ただし、屋根材においては不燃認定材料を使用することが必須となる。不燃材料認定試験は、ＩＳＯ５６６０−１コーンカロリーメーター試験法に準拠した発熱性試験が実施される。芯材４となる発泡樹脂が発熱量の多いウレタンフォームなどの場合は、芯材４の厚みを薄くしたり、発泡樹脂に無機発泡粒子を含有させたりすることができる。本体部２０と裏基材３との間に発泡樹脂が充填されることで、樹脂シート等の裏打ち材を表基材２の裏側に張り付ける態様よりも、表基材２の裏面に芯材４を強固に密着させることができ、雨音性、断熱性及び耐踏み潰れ性等の屋根材に求められる性能を向上させることができる。
【００１９】
＜板状補強部材について＞
各板状補強部材５は、図１及び図２に示すように平面視矩形の長手状の板状部材であり、金属屋根材１の幅方向１Ｗに互いに離間するとともに、長手方向５Ｌが金属屋根材１の奥行方向１Ｄに延在するように芯材４にそれぞれ埋め込まれている。各板状補強部材５は、裏基材３及び芯材４よりも高強度の板材である。金属屋根材１の裏側、すなわち本体部２０の開口部分及び裏基材３部分は、本体部２０の天板２０ａ部分と比較して強度が低い。各板状補強部材５が芯材４に埋め込まれることで、金属屋根材１の裏側が補強されている。
【００２０】
本実施の形態の板状補強部材５は、金属屋根材１の裏側をより確実に補強するため、図４に示すように基板部５０と補強リブ５１とを有する非平板体によって構成されている。
【００２１】
基板部５０は、図１及び図２に示すように板状補強部材５が芯材４に埋め込まれているときに金属屋根材１の幅方向１Ｗ及び奥行方向１Ｄに延在する平面視矩形の平板部である。基板部５０が本体部２０の天板２０ａよりも裏基材３に近い位置に配置されることで、より確実に金属屋根材１の裏側が補強される。
【００２２】
補強リブ５１は、図１及び図２に示すように板状補強部材５が芯材４に埋め込まれているときに、基板部５０から表基材２の本体部２０の高さ方向２Ｈ（図３参照）に延出されるとともに、金属屋根材１の奥行方向１Ｄに延在されるものである。板状補強部材５がこのような補強リブ５１を有することで、板状補強部材５の長手方向５Ｌの両端５ａを互いに近づけるような曲げに対する板状補強部材５の剛性を増大することができる。そして、このような板状補強部材５が図１及び図２に示すように芯材４に埋め込まれていることで、屋根下地に緊結された金属屋根材１の軒側端部１ｅ（図１及び図２参照）を持ち上げるような曲げに対する金属屋根材１の剛性を増大でき、金属屋根材の耐風圧性能を向上できる。
【００２３】
板状補強部材５は、表基材２の打込位置表示部２１の下方に位置している。打込位置表示部２１が表示する位置に正しく打ち込まれた緊結部材は、表基材２及び板状補強部材５の上下２枚の板材を貫通して屋根下地に到達する。すなわち、表基材２及び板状補強部材５は緊結部材によって一体化される。これら表基材２及び板状補強部材５が緊結部材によって一体化されることで、金属屋根材１の耐風圧性能がより確実に向上される。
【００２４】
補強リブ５１の数は任意であるが、本実施の形態の板状補強部材５は一対の補強リブ５１を有している。本実施の形態の補強リブ５１は板状補強部材５の長手方向５Ｌの全体に延在しているが、補強リブは板状補強部材の長手方向の一部に延在されていてもよい。
【００２５】
例えば平板状の基板部に別の板材を接合する等して補強リブ５１を一枚の壁体によって構成してもよいが、本実施の形態の補強リブ５１は、図５に特に示すように先端５１０ａが互いに接続された一対の壁体５１０によって構成されている。一対の壁体５１０の先端５１０ａが互いに接続されていることで、これら一対の壁体５１０が一体として、板状補強部材５の長手方向５Ｌの両端５ａを互いに近づけるような曲げに対する耐力壁となり、より確実に金属屋根材１の剛性を増大できる。本実施の形態では各壁体５１０の先端５１０ａが互いに直接接続されている。しかしながら、他の板部を介して一対の壁体５１０の先端５１０ａを互いに接続してもよい。
【００２６】
一対の壁体５１０の先端５１０ａが互いに接続されているとき、それら一対の壁体５１０の基端５１０ｂを隣接させてもよいが、それら一対の壁体５１０の基端５１０ｂを互いに離間させることが好ましい。すなわち、補強リブ５１を断面Ｖ字状又は断面コ字状の突状体とすることが好ましい。金属屋根材１は、例えば屋根妻に配置するとき等に切断されることがある。一対の壁体５１０の基端５１０ｂが互いに離間されていることで、金属屋根材１を切断する際の切断負荷を小さく抑えることができる。
【００２７】
図５に示すように、基板部５０が裏基材３に接し、補強リブ５１の先端が表基材２の裏面２３に接していることが好ましい。基板部５０及び補強リブ５１がこのように構成されることで、金属屋根材１の上に太陽光発電モジュールや固定架台等の重量物が積載されるときに、板状補強部材５を介して積載荷重を屋根下地に逃がすことができ、表基材２が変形する可能性を長期間低減できる。
【００２８】
このような金属屋根材１では、金属屋根材１の奥行方向１Ｄに延在する補強リブ５１を有する複数の長手状の板状補強部材５が、金属屋根材１の幅方向１Ｗ（軒方向）に互いに離間するとともに、長手方向５Ｌが金属屋根材１の奥行方向１Ｄ（軒棟方向）に延在するように芯材４にそれぞれ埋め込まれているので、屋根下地に緊結された金属屋根材１の軒側端部１ｅを持ち上げるような曲げに対する金属屋根材１の剛性を増大できる。これにより、金属屋根材１の耐風圧性能を向上できる。
【００２９】
また、補強リブ５１には先端５１０ａが互いに接続された一対の壁体５１０が設けられているので、より確実に金属屋根材１の剛性を増大できる。
【００３０】
さらに、一対の壁体５１０の基端５１０ｂが互いに離間されているので、基端５１０ｂを隣接させる場合と比較して金属屋根材１を切断する際の切断負荷を小さく抑えることができる。
【００３１】
さらにまた、基板部５０が裏基材３に接し、補強リブ５１の先端が表基材２の裏面２３に接しているので、金属屋根材１が屋根下地の上に配置されているときに表基材２が作業者に踏まれたとしても、表基材２が変形する可能性を低減できる。
【符号の説明】
【００３２】
１      金属屋根材
２      表基材
３      裏基材
４      芯材
５      板状補強部材
５０    基板部
５１    補強リブ
５１０  壁体
【図１】
2018178393.tif 000003
【図２】
2018178393.tif 000004
【図３】
2018178393.tif 000005
【図４】
2018178393.tif 000006
【図５】
2018178393.tif 000007